(57)【要約】【課題】高輝度化、高階調化が可能なプラズマディスプレイパネルの駆動方法を実現することを目的とする。【解決手段】行電極を複数本まとめた複数のブロック単位に分割し、各ブロックにおいては、１フィールド期間を複数のサブフィールド（ＳＦ）期間に分割し、各サブフィールド期間においては、セットアップ動作（ＶＳＴ）とアドレス動作（ＡＤ）と維持動作（ＳＵＳ）とを分離し且つアドレス動作が他のブロックの維持動作と重なるように実行し、最終のサブフィールド期間においては、消去動作（ＥＲ）を、維持動作の終了後に他のブロックのセットアップ動作と重なるように実行することを特徴とするプラズマディスプレイパネルの駆動方法である。【選択図】図４
2005250219.tif 000002
【特許請求の範囲】
【請求項１】
行方向に延び表示ラインを形成する複数の行電極と、行電極に交差して配列された複数の列電極と、列電極と行電極とが交差する位置においてそれぞれ発光単位を形成する放電空間とを設けたプラズマディスプレイパネルの駆動方法において、行電極は複数本まとめた複数のブロック単位に分割し、各ブロックにおいては、１フィールド期間を複数のサブフィールド期間に分割し、各サブフィールド期間においては、セットアップ動作とアドレス動作と維持動作とを分離し且つアドレス動作が他のブロックの維持動作と重なるように実行し、最終のサブフィールド期間においては、消去動作を、維持動作の終了後に他のブロックのセットアップ動作と重なるように実行することを特徴とするプラズマディスプレイパネルの駆動方法。
【請求項２】
行方向に延び表示ラインを形成する複数の行電極と、行電極に交差して配列された複数の列電極と、列電極と行電極とが交差する位置においてそれぞれ発光単位を形成する放電空間とを設けたプラズマディスプレイパネルの駆動方法において、行電極を複数本まとめた複数のブロック単位に分割し、各ブロックにおいては、１フィールド期間を複数のサブフィールド期間に分割し、各サブフィールド期間においては、セットアップ動作とアドレス動作と維持動作とを分離し且つアドレス動作が他のブロックの維持動作と重なるように実行し、最終のサブフィールド期間においては、消去動作を維持動作の終了後に実行し、その後、他のブロックのアドレス動作を開始することを特徴とするプラズマディスプレイパネルの駆動方法。
【発明の詳細な説明】
【技術分野】
【０００１】
本発明は、放電を制御することにより画像を表示するプラズマディスプレイパネルの駆動方法に関するものである。
【背景技術】
【０００２】
プラズマディスプレイパネル（ＰＤＰ）は、ガス放電に伴う発光及び紫外線による蛍光体の励起発光を利用した大画面化・薄型化が可能な表示パネルであり、ＰＤＰは、発光単位となる放電セル一つあたりに３本の電極が設けられた３電極放電構造を持つ、いわゆる面放電方式のＡＣ型が主である（例えば、非特許文献１参照）。
【非特許文献１】内池平樹、御子柴茂生共著、「プラズマディスプレイのすべて」（株）工業調査会、１９９７年５月１日、ｐ７９−ｐ８０、ｐ１５３−１５４
【発明の開示】
【発明が解決しようとする課題】
【０００３】
本発明は、高輝度化、高階調化が可能なプラズマディスプレイパネルの駆動方法を実現することを目的とする。
【課題を解決するための手段】
【０００４】
上記目的を実現するために本発明のプラズマディスプレイパネルの駆動方法は、行方向に延び表示ラインを形成する複数の行電極と、行電極に交差して配列された複数の列電極と、列電極と行電極とが交差する位置においてそれぞれ発光単位を形成する放電空間とを設けたプラズマディスプレイパネルの駆動方法において、行電極は複数本まとめた複数のブロック単位に分割し、各ブロックにおいては、１フィールド期間を複数のサブフィールド期間に分割し、各サブフィールド期間においては、セットアップ動作とアドレス動作と維持動作とを分離し且つアドレス動作が他のブロックの維持動作と重なるように実行し、最終のサブフィールド期間においては、消去動作を、維持動作の終了後に他のブロックのセットアップ動作と重なるように実行することを特徴とするものである。
【０００５】
また、上記目的を実現するために本発明のプラズマディスプレイパネルの駆動方法は、行方向に延び表示ラインを形成する複数の行電極と、行電極に交差して配列された複数の列電極と、列電極と行電極とが交差する位置においてそれぞれ発光単位を形成する放電空間とを設けたプラズマディスプレイパネルの駆動方法において、行電極を複数本まとめた複数のブロック単位に分割し、各ブロックにおいては、１フィールド期間を複数のサブフィールド期間に分割し、各サブフィールド期間においては、セットアップ動作とアドレス動作と維持動作とを分離し且つアドレス動作が他のブロックの維持動作と重なるように実行し、最終のサブフィールド期間においては、消去動作を維持動作の終了後に実行し、その後、他のブロックのアドレス動作を開始することを特徴とするものである。
【発明の効果】
【０００６】
本発明のプラズマディスプレイパネルの駆動方法によれば、サブフィールド数を増加させることができ、もって高輝度化、高階調化が可能となる。
【発明を実施するための最良の形態】
【０００７】
すなわち、本発明の請求項１に記載の発明は、行方向に延び表示ラインを形成する複数の行電極と、行電極に交差して配列された複数の列電極と、列電極と行電極とが交差する位置においてそれぞれ発光単位を形成する放電空間とを設けたプラズマディスプレイパネルの駆動方法において、行電極は複数本まとめた複数のブロック単位に分割し、各ブロックにおいては、１フィールド期間を複数のサブフィールド期間に分割し、各サブフィールド期間においては、セットアップ動作とアドレス動作と維持動作とを分離し且つアドレス動作が他のブロックの維持動作と重なるように実行し、最終のサブフィールド期間においては、消去動作を、維持動作の終了後に他のブロックのセットアップ動作と重なるように実行することを特徴とするプラズマディスプレイパネルの駆動方法である。
【０００８】
また、請求項２に記載のプラズマディスプレイパネルの駆動方法は、行方向に延び表示ラインを形成する複数の行電極と、行電極に交差して配列された複数の列電極と、列電極と行電極とが交差する位置においてそれぞれ発光単位を形成する放電空間とを設けたプラズマディスプレイパネルの駆動方法において、行電極を複数本まとめた複数のブロック単位に分割し、各ブロックにおいては、１フィールド期間を複数のサブフィールド期間に分割し、各サブフィールド期間においては、セットアップ動作とアドレス動作と維持動作とを分離し且つアドレス動作が他のブロックの維持動作と重なるように実行し、最終のサブフィールド期間においては、消去動作を維持動作の終了後に実行し、その後、他のブロックのアドレス動作を開始することを特徴とするプラズマディスプレイパネルの駆動方法である。
【０００９】
以下、本発明の実施の形態について図面を参照しながら説明する。
【００１０】
（実施の形態１）
図１は、本発明の一実施の形態によるＰＤＰの駆動方法により駆動されるＰＤＰの概略構成を示す断面斜視図である。
【００１１】
ＰＤＰ１の前面板２は、前面側のガラスのような透明且つ絶縁性の基板３の一主面上に形成した、スキャン電極４とサステイン電極５とからなり行方向に延び表示ラインを形成する行電極６と、その行電極６を覆う誘電体層７と、さらにその誘電体層７を覆う、例えばＭｇＯによる保護層８とを有する構造である。スキャン電極４とサステイン電極５は、電気抵抗の低減を目的として、透明電極４ａ、５ａに金属材料からなるバス電極４ｂ、５ｂを積層した構造としている。
【００１２】
また、背面板９は、背面側のガラスのような絶縁性の基板１０の一主面上に形成した、列電極であるアドレス電極１１と、このアドレス電極１１を覆う誘電体層１２と、誘電体層１２上のアドレス電極１１の間に相当する場所に位置する隔壁１３と、隔壁１３間に、赤色の蛍光体層１４Ｒ、緑色の蛍光体層１４Ｇ、青色の蛍光体層１４Ｂからなる蛍光体層１４を有する構造である。
【００１３】
そして、前面板２と背面板９とは、隔壁１３を挟んで、行電極６とアドレス電極１１とが直交するように対向し、画像表示領域の外の周囲を封着部材により封止した構成であり、前面板２と背面板９との間に形成された放電空間１５には、例えばＮｅ−Ｘｅ５％の放電ガスが６６．５ｋＰａ（５００Ｔｏｒｒ）の圧力で封入されている。
【００１４】
そして、放電空間１５の行電極対６とアドレス電極１１との交差部が発光単位となる放電空間である放電セル１６として動作する。
【００１５】
図２は、放電セル１６の概略構成を模式的に示す断面図である。
【００１６】
放電セル１６では、前面板２の基板３上には、スキャン電極４とサステイン電極５とが並行して形成されることで行電極６を構成し、そしてこの行電極６は誘電体層７及び保護層８で覆われている。
【００１７】
また、基板３に対して隔壁１３を挟んで対向配置される背面板９の基板１０上には、列電極であるアドレス電極１１が行電極対６に対し直交するように形成され、その上には誘電体層１２が設けられている。さらに誘電体層１２の上には蛍光体層１４が塗布されている。
【００１８】
この放電セル１６において、スキャン電極４とアドレス電極１１との間に放電開始電圧Ｖｆよりも高いパルス電圧（書き込みパルス）を印加すると放電が発生する。その時、正電圧を印加しているアドレス電極１１上の蛍光体層１４の表面には負電荷が蓄積され、負電圧を印加しているスキャン電極４側の保護層８付近の表面には正電荷が蓄積される。また、同時に正電圧を印加しているサステイン電極５側の保護層８付近の壁面には、アドレス電極１１と同じく負電荷が蓄積する。
【００１９】
ここで、この保護層８、蛍光体層１４のそれぞれの表面に蓄積された電荷を壁電荷といい、この壁電荷によって誘起された電圧を壁電圧Ｖｗという。また、書き込みパルスを印加することで放電を発生させ壁電荷を生成させることをアドレス放電といい、ある単位ライン分のアドレス放電する期間をアドレス期間という。
【００２０】
スキャン電極４側に正電荷、サステイン電極５及びアドレス電極１１側に負電荷を蓄積させた状態で、スキャン電極４とサステイン電極５間にパルス状の高電圧Ｖｉを印加すると、壁電圧Ｖｗと印加電圧Ｖｉとの和（＝セル電圧Ｖｃ）が放電開始電圧Ｖｆを超えた場合、放電が発生する。一旦、放電が開始されると、常に前放電時の電極とは正負逆極性の壁電荷が再蓄積されるので、スキャン電極４及びサステイン電極５に交互に反転する周期的パルス電圧が印加し続ける間放電は維持される。この放電を維持放電といい、維持放電している期間を維持期間と呼ぶ。
【００２１】
印加電圧Ｖｉは放電開始電圧Ｖｆよりも低く設定し、壁電圧（壁電荷）が無い場合は、セル電圧Ｖｃ＝Ｖｗ＋Ｖｉ＝Ｖｉ＜Ｖｆとなり、維持放電が発生しないようにする。このように、アドレス放電によって発生する壁電圧Ｖｗの有無により、次に続く維持放電の有無を決定されることで選択的放電が実現できる。
【００２２】
図３は本発明の一実施の形態によるＰＤＰの駆動方法を行う駆動装置の概略構成を示すブロック図であり、図４は、それに対するブロック駆動について説明した図である。
【００２３】
図３に示すように、ＰＤＰ１を駆動する駆動装置は、アドレスドライバ１０２、４つのスキャンドライバ１３１〜１３４、４つのサステインドライバ１４１〜１４４、放電制御タイミング発生回路１０５、Ａ／Ｄコンバータ（アナログ・デジタル変換器）１０６、走査数変換部１０７およびサブフィールド変換部１０８を備える。
【００２４】
Ａ／Ｄコンバータ１０６は、映像信号ＶＤをデジタルの画像データに変換し、その画像データを走査数変換部１０７に与える。走査数変換部１０７は、画像データをＰＤＰ１の画素数に応じたライン数の画像データに変換し、各ラインごとの画像データをサブフィールド変換部１０８に与える。各ラインごとの画像データは、各ラインの複数の画素にそれぞれ対応する複数の画素データからなる。サブフィールド変換部１０８は、各ラインごとの画像データの各画素データを複数のサブフィールドに対応する複数のビットに分割し、各サブフィールドごとに各画素データの各ビットをアドレスドライバ１０２にシリアルに出力する。
【００２５】
放電制御タイミング発生回路１０５は、水平同期信号Ｈおよび垂直同期信号Ｖを基準として、放電制御タイミング信号ＳＣ１〜ＳＣ４と放電制御タイミング信号ＳＵ１〜ＳＵ４を発生し、放電制御タイミング信号ＳＣ１〜ＳＣ４をスキャンドライバ１３１〜１３４にそれぞれ与え、放電制御タイミング信号ＳＵ１〜ＳＵ４をサステインドライバ１４１〜１４４にそれぞれ与える。
【００２６】
次にこのように４分割したブロックにおいて、それぞれの動作を順次行っていく。
【００２７】
図４は、図３のプラズマディスプレイパネルの各ブロックにおいて、セットアップ動作を行うセットアップ期間ＶＳＴ、アドレス動作を行うアドレス期間ＡＤ、維持動作を行う維持期間ＳＵＳ、および消去動作を行う消去期間ＥＲのタイミングを示すタイミングチャートである。図４の縦軸は第１ラインから第４Ｌラインまでのラインを示し、横軸は時間を示す。図４に示すように、ＰＤＰ１を第１〜第４ブロックからなる領域に４分割する。
【００２８】
駆動シーケンスは、セットアップを１フィールドに一回のみ実行し、その後はアドレス動作と維持動作を繰り返す駆動である。例えば、所望のサブフィールドから点灯を開始させ、各サブフィールドを連続して点灯させ、最後に一括して消去を行う駆動方法（正論理）などや、最初のサブフィールドから連続して点灯させ、所望のサブフィールド数分を点灯させた後、消去アドレス動作を行って維持発光を止める駆動方法（負論理）などがあり、動画疑似輪郭などに対して有効な駆動方法である。以下の実施例では、正論理で駆動する場合を例にして説明する。
【００２９】
放電タイミングは次のように制御される。まず、ｎ番目の１フィールドの開始動作を説明する。第１ブロックの第１サブフィールドＳＦ１でセットアップ期間ＶＳＴが開始される。セットアップ期間ＶＳＴが終了した後に、第１ブロックのアドレス期間ＡＤが開始され、第１ブロックのアドレス期間ＡＤが終了した後、第１ブロックの維持期間ＳＵＳが開始される。
【００３０】
次に、第２ブロック以降の動作を開始する。このとき、第１ブロックのアドレス期間ＡＤと第２ブロックのセットアップ期間ＶＳＴとは誤発光が発生するため、重ねて実行することができない。このため、第１ブロックのアドレス期間ＡＤの終了後に第２ブロックのセットアップ期間ＶＳＴを開始する動作を行う。
【００３１】
続いて第２ブロックのアドレス期間ＡＤを開始し、第２ブロックのアドレス期間ＡＤが終了した後、第２ブロックの維持期間ＳＵＳを開始する。
【００３２】
以降、第２ブロックと同様に第３および第４のブロックにおいても、一つ前のブロックのアドレス期間が終了した後に次のブロックのセットアップ期間ＶＳＴを開始する。
【００３３】
このように、アドレス期間ＡＤとセットアップ期間ＶＳＴとが重ならないように駆動する。
【００３４】
次に、第１ブロックの第２サブフィールドの開始に関しては、第４ブロックのアドレス期間ＡＤと重ならないように、そのアドレス期間ＡＤが終了した後であればいつでも開始することができる。そこで、第２サブフィールド以降のアドレス期間をできるだけ詰めて順次実行するために、第４ブロックのアドレス動作から考える。
【００３５】
第４ブロックでは、まず第１サブフィールドの維持期間ＳＵＳが終了した時点で、次の第４ブロックの第２サブフィールドのアドレス期間ＡＤを開始する。逆に考えて、この第４ブロックのアドレス期間の開始までに第３ブロックの第２サブフィールドのアドレス期間ＡＤが終了するようにあらかじめ第３ブロックのアドレス期間をスタートさせておく。さらに同様に第２、第１と各第２サブフィールドのアドレス期間が重ならないようにアドレス期間を開始する。結果として、第１サブフィールドには維持期間の後半に無パルス期間が発生するが調整用として確保している。
【００３６】
この様にして、第２サブフィールド以降は、各ブロックのアドレス期間を重ねることなく、できるだけ詰めて駆動している。以上のようにして、第２サブフィールド以降は各ブロックのアドレス期間を第１サブフィールドとは違うタイミングで詰めることができるため、各サブフィールドを効率よくずらして駆動している。
【００３７】
次に、１フィールドの終了動作を考える。図４では（ｎ−１）番目の１フィールドの終了動作を記述している。最終サブフィールドで連続した維持（発光）動作を終了させるため、維持期間終了後に消去期間ＥＲを設けている。
【００３８】
本発明は、あるブロックで次のフィールド（ｎ番目）の最初に実行されるセットアップ動作に、他ブロックの前フィールド（（ｎ−１）番目）の消去動作を混ぜる動作を行うものである。つまり、図４のように第１ブロックから順次ずらして実行するシーケンスでは、第２ブロックの消去動作を第１ブロックのセットアップ動作に重ねて実行し、第３ブロックの消去動作を第２ブロックのセットアップ動作に重ねて実行し、同様に第４ブロックの消去動作を第３ブロックのセットアップ動作に重ねて実行する。
【００３９】
通常の駆動シーケンスでは、最終サブフィールドまで実行した後に消去期間を設けていたため、ＳＦ１３のアドレス期間の部分に消去期間が設定されていることになり、その消去期間を１フィールドの中に確保しなくてはいけなかった。
【００４０】
一方、この消去動作とセットアップ動作を時間的に同時に実行しても誤発光などの不具合が発生しないことを確認しているため、本発明では、あるブロックの消去動作を他のブロックのセットアップ動作に重ねて実行する。そのため、その消去期間が必要なくなり、もう一つのＳＦとして割り当てることができる。このとき、図４のように、第１ブロックでは第１のサブフィールドの消去期間を１フィールドの最後までずらしているので、アドレス動作から消去動作までの間を維持期間として確保することができる。また、第２ブロック以降のブロックでもアドレス期間の終了から消去期間ＥＲまでを維持期間とすることができるが、ブロック間で維持期間の長さが変わるので、最短の維持期間にあわせて調整すればよい。さらに、期間に余裕がある場合、２ＳＦ以上を追加してもかまわない。
【００４１】
すなわち、ＳＦ数を増加させることができるので高階調化が可能となり、また、全体のパルス数を増加させることもできるので高輝度化も可能となる。
【００４２】
以上のように、本発明の実施の形態１によるＰＤＰの駆動方法によれば、ブロックの消去動作を他のブロックのセットアップ動作に重ねて実行しており、このことにより高階調化および高輝度化が可能となる。
【００４３】
なお、本発明ではブロック数を４としてサステインドライバおよびスキャンドライバを構成したが、これに限定することはなく、２分割あるいは６分割、８分割などでも同様の駆動を行うことができる。また、サブフィールド数を１３としたが、これに限るものではない。
【００４４】
（実施の形態２）
図５は、本発明の実施の形態２によるＰＤＰの駆動方法におけるブロック駆動について説明したタイミングチャートである。ここでＰＤＰの概略構成は図３に示したものと同様である。
【００４５】
まずフィールドの開始であるが、図５ではｎ番目のフィールドを示している。第１サブフィールドＳＦ１では、各ブロックのセットアップ期間ＶＳＴとアドレス期間ＡＤが重ならないように順次ブロックをずらして実行していく。次に、第２サブフィールド以降も同様にアドレス期間ＡＤおよび維持期間ＳＵＳを順次ずらして実行するが、アドレス期間を各ブロック間で詰めることなく第１サブフィールドと同じ間隔で実行している。これは、各ブロック間でサブフィールド長さを一定にできるため、制御を簡略化できるためである。このため、各ブロックのアドレス動作はある間隔で順次実行されていることとなる。
【００４６】
次にフィールドの終了動作であるが、通常の駆動シーケンスでは、最後のサブフィールドにおける維持動作ＳＵＳの後に消去動作ＥＲを実行している。各ブロックの動作は時間的に順次ずれて実行されているので、消去動作も順次ずれて実行される。このため、次のフィールドを開始する前に、ある時間幅を持つ消去期間を設定する必要がある。その結果、この消去期間がおよそ１サブフィールド相当の時間幅を持ち、しかも、アドレス期間をある間隔で順次実行しているため、この消去期間も時間的に長いものとなっている。このため、この時間分だけ１フィールド期間中に確保しなくてはいけなかった。
【００４７】
本発明は、アドレス期間がある間隔で実行されているので、そのすき間に維持動作および消去動作を行う駆動方法である。この場合、維持期間を長く確保することができないが、パルス数がサブフィールドに応じて降順に設定されていれば、最終サブフィールドは最小パルス数となり、１から数パルス程度となる。このため、維持期間が短くても実行することが可能となる。この結果、サブフィールドをさらに１つ増やすことが可能となる。さらに期間に余裕がある場合には、２ＳＦ以上を追加してもかまわない。
【００４８】
動作は、まず、第１ブロックのアドレス動作を行い、続けて維持動作、消去動作を順次実行し、その消去動作が終了した後、第２ブロックのアドレス動作を開始する。その後、第２ブロックの維持動作、消去動作を行った後、第３ブロックのアドレスを開始する。
【００４９】
つまり、最終サブフィールドのみ各ブロックで一連の動作を完了してから次ブロックの動作を開始することにより、ＳＦ数を増やすことができるので階調数を増やすことが可能となり、また、全体のパルス数を増加させることもできるので高輝度化も実現できる。
【００５０】
以上のように、本発明の実施の形態２によるＰＤＰの駆動方法によれば、最終のサブフィールド期間において、消去動作を維持動作の終了後に実行し、その後、他のブロックのアドレス動作を開始しており、このことによりサブフィールド数を増加させることができ、もって高階調化および高輝度化が可能となる。
【００５１】
なお、本発明ではブロック数を４としてサステインドライバおよびスキャンドライバを構成したが、これに限定することはなく２分割あるいは６分割、８分割などでも同様の駆動を行うことができる。また、サブフィールド数を１３としたが、これに限るものではない。
【産業上の利用可能性】
【００５２】
以上のように本発明のプラズマディスプレイパネルの駆動方法によれば、サブフィールド数を増加させることにより、高輝度化、高階調化が可能なプラズマディスプレイパネルの駆動方法を提供することができる。
【図面の簡単な説明】
【００５３】
【図１】本発明の一実施の形態によるプラズマディスプレイパネルの駆動方法により駆動されるプラズマディスプレイパネルの概略構成を示す断面斜視図
【図２】図１における放電セルの概略構成を模式的に示す断面図
【図３】本発明の一実施の形態によるプラズマディスプレイパネルの駆動方法を行う駆動装置の概略構成を示すブロック図
【図４】本発明の一実施の形態によるプラズマディスプレイパネルの駆動方法を説明するためのタイミングチャート
【図５】同じく、本発明の一実施の形態によるプラズマディスプレイパネルの駆動方法を説明するためのタイミングチャート
【符号の説明】
【００５４】
１  プラズマディスプレイパネル（ＰＤＰ）
４  スキャン電極
５  サステイン電極
６  行電極
１１  アドレス電極（列電極）
１６  放電セル
【図１】
2005250219.tif 000003
【図２】
2005250219.tif 000004
【図３】
2005250219.tif 000005
【図４】
2005250219.tif 000006
【図５】
2005250219.tif 000007